(57)【特許請求の範囲】
【請求項１】
（Ａ）Ｘ線を照射するＸ線照射手段と、（Ｂ）前記Ｘ線照射手段から照射されるＸ線の条件を示す第１撮影条件と、この第１撮影条件より前記Ｘ線照射手段から照射されるＸ線の出力が小さいＸ線の条件を示す第２撮影条件と、Ｘ線撮影が開始されてからＸ線撮影が終了すると予想される終了予想時点までの時間である第１撮影時間と、終了予想時点からＸ線撮影が行われる上限時間である終了上限時点までの時間である第２撮影時間と、を記憶する記憶手段と、（Ｃ）Ｘ線撮影を開始させる指示の検出およびＸ線撮影を終了させる指示の検出をする検出手段と、（Ｄ）前記検出手段でＸ線撮影を開始させる指示を検出した場合に、記憶手段に記憶されている第１撮影時間において、当該検出手段でＸ線撮影を終了させる指示が検出されるまで、前記記憶手段に記憶されている第１撮影条件を用いて前記Ｘ線照射手段からＸ線を照射させる制御を行う照射制御手段と、を備え、（Ｅ）第１撮影時間に前記検出手段でＸ線撮影を終了させる指示が検出されない場合に、前記照射制御手段は、記憶手段に記憶されている第２撮影時間において、当該検出手段によりＸ線撮影を終了させる指示が検出されるまで、前記記憶手段に記憶されている第２撮影条件を用いて前記Ｘ線照射手段からＸ線を照射させる制御を行うことを特徴とするＸ線診断装置。
【発明の詳細な説明】
【技術分野】
【０００１】
この発明は、Ｘ線管から被検体にＸ線を照射し、撮影対象のＸ線画像を取得するＸ線診断装置に係り、特に、撮影時間が長いＸ線撮影が設定されている場合においても、撮影時間が短い場合においては良好な画像を得ることができる技術に関する。
【背景技術】
【０００２】
従来、Ｘ線診断装置のＸ線管から被検体にＸ線を照射し、被検体を透過したＸ線に基づいて被検体のＸ線透過像を写し出すＸ線撮影が行われている（特許文献１参照）。また、Ｘ線撮影は所定の時間（撮影時間）に複数回行われて、複数のＸ線透過像を得ている。また、Ｘ線管は過負荷になると破壊するため、過負荷にならないようにする必要がある。Ｘ線管を過負荷にさせないためには、負荷は管電圧，管電流の大きさと通電時間との関係により決まるものであり、具体的には、管電圧，管電流の大きさが大きい場合には、通電時間を短く設定する必要があり、管電圧，管電流の大きさが小さい場合には、通電時間を長く設定することができる。また、撮影時間が短く設定された場合にはＸ線管から照射されるＸ線出力を大きなものとすることができるが、撮影時間は被検体の状態などにより変化するものであり、撮影時間が長くなる場合でもＸ線撮影が途中で終了することなく必要な全てのＸ線撮影を行うことができるように、撮影時間は、一律に長く設定していた。
【特許文献１】特開２０００−１７３７９５号公報（２頁、図１）
【発明の開示】
【発明が解決しようとする課題】
【０００３】
しかしながら、従来のＸ線診断装置では、次のような問題がある。すなわち、Ｘ線撮影が行われる撮影時間を一律に長く設定すると、撮影時間が長い場合だけでなく短い場合においても、Ｘ線管から照射されるＸ線出力を大きなものとすることができず、良好な画像を得ることができない。つまり、撮影時間が長く設定されている場合には、実際の撮影時間が短かった場合でも、良好な画像を得ることができないという問題がある。
【０００４】
この発明は、このような事情に鑑みてなされたものであって、撮影時間が長いＸ線撮影においてもＸ線撮影が途中で終了することなく、必要な全てのＸ線撮影を行うことができ、かつ、撮影時間が短い場合においては良好な画像を得ることができるＸ線診断装置を提供することを目的とする。
【課題を解決するための手段】
【０００５】
この発明は、このような目的を達成するために、次のような構成をとる。
すなわち、請求項１に記載のＸ線診断装置の発明は、（Ａ）Ｘ線を照射するＸ線照射手段と、（Ｂ）前記Ｘ線照射手段から照射されるＸ線の条件を示す第１撮影条件と、この第１撮影条件より前記Ｘ線照射手段から照射されるＸ線の出力が小さいＸ線の条件を示す第２撮影条件と、Ｘ線撮影が開始されてからＸ線撮影が終了すると予想される終了予想時点までの時間である第１撮影時間と、終了予想時点からＸ線撮影が行われる上限時間である終了上限時点までの時間である第２撮影時間と、を記憶する記憶手段と、（Ｃ）Ｘ線撮影を開始させる指示の検出およびＸ線撮影を終了させる指示の検出をする検出手段と、（Ｄ）前記検出手段でＸ線撮影を開始させる指示を検出した場合に、記憶手段に記憶されている第１撮影時間において、当該検出手段でＸ線撮影を終了させる指示が検出されるまで、前記記憶手段に記憶されている第１撮影条件を用いて前記Ｘ線照射手段からＸ線を照射させる制御を行う照射制御手段と、を備え、（Ｅ）第１撮影時間に前記検出手段でＸ線撮影を終了させる指示が検出されない場合に、前記照射制御手段は、記憶手段に記憶されている第２撮影時間において、当該検出手段によりＸ線撮影を終了させる指示が検出されるまで、前記記憶手段に記憶されている第２撮影条件を用いて前記Ｘ線照射手段からＸ線を照射させる制御を行うことを特徴とするものである。
【０００６】
［作用・効果］請求項１の発明の作用は次のとおりである。
まず、Ｘ線撮影前には、記憶手段にＸ線照射手段から照射されるＸ線の条件を示す第１撮影条件と、この第１撮影条件よりＸ線照射手段から照射されるＸ線の出力が小さいＸ線の条件を示す第２撮影条件と、Ｘ線撮影が開始されてからＸ線撮影が終了すると予想される終了予想時点までの時間である第１撮影時間と、終了予想時点からＸ線撮影が行われる上限時間である終了上限時点までの時間である第２撮影時間とが記憶される。次に、検出手段でＸ線撮影を開始させる指示を検出した場合に、照射制御手段は、記憶手段に記憶されている第１撮影条件を用いてＸ線照射手段からＸ線を照射させる制御を行う。また、この第１撮影条件を用いてされるＸ線照射は、検出手段でＸ線撮影を終了させる指示が検出されるまでの第１撮影時間で行われる。さらに、第１撮影時間内の時間に検出手段でＸ線撮影を終了させる指示が検出されない場合である、Ｘ線撮影が予想された時間より長くなる場合には、照射制御手段は、記憶手段に記憶されている第２撮影条件を用いてＸ線照射手段からＸ線を照射させる制御を行う。つまり、Ｘ線照射手段は照射されるＸ線の条件を第１撮影条件から第２撮影条件に変更してＸ線を照射させる制御を行い、Ｘ線撮影は終了予想時点で終了することなく継続して行われる。また、この第２撮影条件を用いてされるＸ線照射は、検出手段でＸ線撮影を終了させる指示が検出されるまでの第２撮影時間で行われる。
【０００７】
このようにして、Ｘ線撮影が開始されてからＸ線撮影が終了すると予想される終了予想時点までの時間である第１撮影時間には第１撮影条件を用いてＸ線撮影が行われ、Ｘ線撮影が終了予想時点までに終わらず、第２撮影時間でも撮影が行われる場合には、第１撮影条件から第２撮影条件に変更してＸ線撮影が行われる。また、第２撮影条件は、第１撮影条件よりＸ線照射手段から照射されるＸ線の出力が小さいＸ線の条件である。したがって、撮影時間が長いＸ線撮影においてもＸ線撮影が途中で終了することなく、必要な全てのＸ線撮影を行うことができ、かつ、撮影時間が短い場合においては良好な画像を得ることができる。
【発明の効果】
【０００８】
本発明によれば、撮影時間が長いＸ線撮影においてもＸ線撮影が途中で終了することなく、必要な全てのＸ線撮影を行うことができ、かつ、撮影時間が短い場合においては良好な画像を得ることができる。
【発明を実施するための最良の形態】
【０００９】
Ｘ線診断装置を図面に基づいて詳細に説明する。図１はＸ線診断装置の全体構成を示すブロック図である。図２は撮影制御部の構成を示すブロック図である。図３は表示部の撮影時間設定画面を示す模式図である。図４は表示部の撮影条件演算画面を示す模式図である。
【００１０】
Ｘ線診断装置の全体の構成について図１を用いて説明する。図１に示すように、Ｘ線診断装置は、被検体（患者）Ｍに向けてＸ線を照射するＸ線管１と、被検体Ｍを載置する天板２と、被検体Ｍを透過したＸ線を複数の検出領域で検出し各Ｘ線検出信号として出力するＸ線検出器３と、Ｘ線検出器３で検出されたＸ線検出信号に基づいて、Ｘ線画像を作成する処理を行う画像処理部４と、Ｘ線撮影に関する種々の制御を行う撮影制御部５と、撮影制御部５からの制御に基づいてＸ線管１の制御を行う照射制御部６と、撮影時間などを入力する入力部７と、Ｘ線撮影条件，Ｘ線画像などを表示する表示部８と、Ｘ線撮影開始を指示する撮影開始スイッチ９、Ｘ線撮影終了を指示する撮影終了スイッチ１０などが備えられたものである。なお、上述した、Ｘ線管１は、本発明におけるＸ線照射手段に相当する。以下に、これら構成について詳細に説明する。
【００１１】
まず、術者（Ｘ線撮影技師など）は、この術者の経験などから撮影対象毎におおよそ必要な撮影に要する時間が既知であり、その時間を第１撮影時間として設定し、さらに、この第１撮影時間において、Ｘ線管１からＸ線を照射させる条件を第１撮影条件として設定する。また、通常の場合と異なり撮影が遅れる場合に必要となるであろう時間を第２撮影時間として設定し、さらに、この第２撮影時間において、Ｘ線管１からＸ線を照射させる条件を第２撮影条件として設定する。具体的には、第１撮影時間はＸ線撮影が開始されてからＸ線撮影が終了すると予想される終了予想時点までの時間であり、第２撮影時間は終了予想時点からＸ線撮影が行われる上限時間である終了上限時点までの時間である。また、第２撮影条件は、第１撮影条件よりＸ線管１から照射されるＸ線の出力が小さいものである。
【００１２】
Ｘ線診断装置の入力部７は、キーボードやマウスなどの入力装置からなり、術者（Ｘ線撮影技師など）により、Ｘ線撮影のために必要な入力（設定）、例えば第１撮影時間、第２撮影時間、第１撮影条件、第２撮影時間などの入力が可能な構成となっている。具体的には、例えば、第１撮影時間を７秒、第２撮影時間を８秒、第１撮影条件を管電圧８０ｋｖ，管電流７２０ｍＡ，出力パルス幅４ｍｓ、第２撮影条件を管電圧８０ｋｖ，管電流２４０ｍＡ，出力パルス幅４ｍｓとするような場合には、これら数値の入力が可能な構成となっている。なお、第１撮影条件と第２撮影条件とに示される出力パルス幅（４ｍｓ）とは、Ｘ線管１から照射されるＸ線はパルス状のものが継続して出力されるものであり、例えば周期が３３ｍｓでＸ線が４ｍｓの時間において照射されていることを示す。
【００１３】
撮影開始スイッチ９は、押しボタンが取り付けられたスイッチであり、撮影開始スイッチ９の押しボタンを一度押すことで、Ｘ線撮影開始の指示の操作を行うことが可能であり、撮影開始スイッチ９が押されると撮影開始信号が撮影制御部５に出力される。撮影終了スイッチ１０も同様に、押しボタンが取り付けられたスイッチであり、撮影終了スイッチ１０の押しボタンを一度押すことで、Ｘ線撮影終了の指示の操作を行うことが可能であり、撮影終了スイッチ１０が押されると撮影終了信号が撮影制御部５に出力される。
【００１４】
次に、撮影制御部５は、図２に示すように、制御処理を行うＣＰＵ１１と、この制御処理を行うために必要なプログラムやデータを予め記憶する記憶部１２と、ＣＰＵ１１により入出力制御され、ＣＰＵ１１と入力部７，表示部８，撮影開始スイッチ９，撮影終了スイッチ１０との間で入出力が行われる入出力回路１３（図１参照）と、所定の時間を計時するタイマ１４とを備えている。
【００１５】
記憶部１２は、入力部７で入力された第１撮影時間を記憶する第１撮影時間メモリ１５と、第２撮影時間を記憶する第２撮影時間メモリ１６と、第１撮影条件を記憶する第１撮影条件メモリ１７と、第２撮影条件を記憶する第２撮影条件メモリ１８とを備えている。また、第１撮影条件および第２撮影条件に基づいて、照射制御部６を制御するための撮影プログラムなどの各種プログラムが記憶されているプログラムメモリ１９などのメモリを備えている。なお、上述した、記憶部１２は、本発明における記憶手段に相当する。
【００１６】
ＣＰＵ１１は、このＣＰＵ１１の一機能として、撮影指示部２０と検出部２１とを備えている。検出部２１は、撮影開始スイッチ９から出力された撮影開始信号を入力することで、Ｘ線撮影を開始させる指示の検出を行い、撮影指示部２０は、この検出部２１に撮影開始信号が入力されたことに基づいて、記憶部１２の第１撮影条件メモリ１７に記憶されている第１撮影条件を読み出し、この第１撮影条件に基づいてＸ線管１からＸ線を照射させるための第１撮影条件照射信号を照射制御部６に出力する構成である。また、検出部２１は、撮影終了スイッチ１０から出力された撮影終了信号を入力することで、Ｘ線撮影を終了させる指示の検出を行い、撮影指示部２０は、この撮影終了信号を照射制御部６に出力する構成である。また、撮影指示部２０はタイマ１４に第１撮影時間と第２撮影時間とを設定する制御を行う構成となっている。なお、上述した、検出部２１は、本発明における検出手段に相当する。
【００１７】
タイマ１４は、ＣＰＵ１１の撮影指示部２０からの制御に基づいて、第１撮影時間と第２撮影時間とが設定されたことに基づいて、Ｘ線撮影が開始されてからＸ線撮影が終了すると予想される終了予想時点までの時間と、終了予想時点からＸ線撮影が行われる上限時間である終了上限時点までの時間とを計時する。具体的には、タイマ１４は、撮影開始スイッチ９からの撮影開始信号を入力すると計時を始め、Ｘ線撮影が開始されてから終了予想時点まで計時し、この終了予想時点に達したことを示す終了予想時点信号を撮影指示部２０に出力する。
【００１８】
ここで、撮影指示部２０は、タイマ１４から出力された終了予想時点信号を入力したことに基づいて、記憶部１２の第２撮影条件メモリ１８に記憶されている第２撮影条件を読み出す。さらに、この第２撮影条件に基づいてＸ線管１からＸ線を照射させるための第２撮影条件照射信号を照射制御部６に出力する構成である。
【００１９】
また、タイマ１４は、Ｘ線撮影が行われる上限時間である終了上限時点まで計時すると終了上限時点に達したことを示す終了上限時点信号をＣＰＵ１１の撮影指示部２０に出力し、撮影指示部２０は、終了上限時点信号を照射制御部６に出力する構成である。
【００２０】
次に、照射制御部６は、図１に示すように管電圧制御部２２，フィラメント電流制御部２３を備えている。この管電圧制御部２２は、商用等の電源から高電圧に変換し、Ｘ線管１の陽極と陰極との電圧を制御するものである。また、フィラメント電流制御部２３は、Ｘ線管１のフィラメント（陰極）を加熱し、これを制御してＸ線管１に流れる電流を制御するものである。また、これら管電圧制御部２２とフィラメント電流制御部２３とは、撮影制御部５からの第１撮影条件照射信号または第２撮影条件照射信号に基づいて、Ｘ線管１に対して制御を行うものである。
【００２１】
また、照射制御部６は、撮影制御部５から出力された撮影終了信号および終了上限時点信号を入力することで、Ｘ線管１に対して、Ｘ線の照射を終了させる制御を行う。なお、上述した、照射制御部６は、本発明における照射制御手段に相当する。
【００２２】
次に、Ｘ線検出器３は、フラットパネル型Ｘ線検出器などが用いられ、被検体Ｍを透過したＸ線を複数の検出領域で検出し各Ｘ線検出信号として画像処理部４に出力する。さらに、画像処理部４は、Ｘ線検出器３で検出された各Ｘ線検出信号をＸ線画像にする処理を行い、Ｘ線画像信号として撮影制御部５に出力する構成となっている。
【００２３】
次に、表示部８は、図３に示すような第１撮影時間，第２撮影時間，１撮影条件，第２撮影条件などを入力するための表示、Ｘ線撮影により取得したＸ線画像（図示省略）などの表示が可能な構成となっている。
【００２４】
次に、このＸ線診断装置で造影剤などを用いて血管造影撮影行う場合において、Ｘ線撮影が終了すると予想される終了予想時点で、第１撮影条件から第２撮影条件に変更されてＸ線撮影が行われる動作の流れについて図３〜５を用いて詳細に説明する。図５は、終了予想時点で第１撮影条件から第２撮影条件に変更されてＸ線撮影が行われる動作の流れを示すフローチャートである。
【００２５】
図５に示されるステップＳ１〜Ｓ９に基づいて順番に説明する。
〔ステップＳ１〕第１撮影時間，第２撮影時間の入力
まず、Ｘ線撮影前に術者（Ｘ線撮影技師など）は、図３に示されるような「撮影設定画面」（図３の上部に表示）を表示部８に表示させる。この撮影設定画面が表示されている状態では、記憶部１２の第１撮影時間メモリ１５に記憶されている第１撮影時間、第２撮影時間メモリ１６に記憶されている第２撮影時間、第１撮影条件メモリ１７に記憶されている第１撮影条件、第２撮影条件メモリ１８に記憶されている第２撮影条件とは記憶されていない（消去された）状態である。また、図３に示す表示部８の第１撮影時間欄内，第２撮影時間欄内，第１撮影条件欄内，第２撮影条件欄内の管電圧，管電流，出力パルス幅の数値は表示されていない状態となっており、Ｘ線撮影のために必要な入力（設定）を行うことが可能な状態となる。
【００２６】
この「撮影設定画面」のおいて、入力部７のマウスやキーボードなど入力装置により第１撮影時間，第２撮影時間の入力を行う。まず、第１撮影時間の入力を行う。例えば第１撮影時間自体が７秒間である場合には、第１撮影時間欄内にマウスにより指し示されるカーソルを移動させ、キーボードの操作により「７」を入力する。この入力と同時に図４に示すように第１撮影時間欄内に「７」秒の数値が表示される。さらに、マウスのカーソルを撮影設定画面の下部に表示されている「確定」に移動させ、クリック（選択）すると、ＣＰＵ１１の制御処理により第１撮影時間欄内の「７」秒の表示の下部には、Ｘ線撮影開始（０秒）されてから終了予想時点が７秒後の時点であることを意味する［０〜７］秒が表示され、撮影制御部５の第１撮影時間メモリ１５に第１撮影時間が記憶される。
【００２７】
次に、第２撮影時間の入力を行う。例えば第２撮影時間自体が８秒間である場合には、第２撮影時間欄内にマウスにより指し示されるカーソルを移動させ、キーボードの操作により「８」を入力する。この入力と同時に図４に示すように第２撮影時間欄内に「８」秒の数値が表示される。さらに、マウスのカーソルを撮影設定画面の下部に表示されている「確定」に移動させ、クリックすると、ＣＰＵ１１の制御処理により第２撮影時間欄内の「８」秒の表示の下部には、終了予想時点から終了上限時点までの［７〜１５］秒が表示され、撮影制御部５の第２撮影時間メモリ１６には第２撮影時間が記憶される。
【００２８】
〔ステップＳ２〕第１撮影条件，第２撮影条件の入力
次に、入力部７により第１撮影条件の入力を行う。例えば、第１撮影条件が管電圧８０ｋｖ，管電流７２０ｍＡ，出力パルス幅４ｍｓである場合には、マウスが指し示すカーソルを第１撮影条件欄内の管電圧、管電流、出力パルス幅に対応した枠内に移動させ、キーボードの操作により、管電圧「８０」、管電流「７２０」、出力パルス幅「４」の各数値を入力する。この入力と同時に図４に示す第１撮影条件欄内に各数値が表示される。さらに、マウスのカーソルを撮影設定画面の下部に表示されている「確定」に移動させ、クリックすると、撮影制御部５の第１撮影条件メモリ１７には第１撮影条件（管電圧、管電流、出力パルス幅）が記憶される。
【００２９】
次に、第２撮影条件の入力を行う。例えば第２撮影条件が管電圧８０ｋｖ，管電流２４０ｍＡ，出力パルス幅４ｍｓである場合には、マウスが指し示すカーソルを第１撮影条件欄内の管電圧、管電流、出力パルス幅に対応した枠内に移動させ、キーボードの操作により、管電圧「８０」、管電流「２４０」、出力パルス幅「４」の各数値を入力する。この入力と同時に図４に示す第２撮影条件欄内に各数値が表示される。さらに、マウスのカーソルを撮影設定画面の下部に表示されている「確定」に移動させ、クリックすると、撮影制御部５の第２撮影条件メモリ１８には第２撮影条件（管電圧、管電流、出力パルス幅）が記憶される。さらに、ＣＰＵ１１の撮影指示部２０は、タイマ１４に第１撮影条件と第２撮影条件とを設定する制御を行う。なお、例えば第２撮影条件の管電流値は、第１撮影条件の管電流値の１／３の値とし、第２撮影条件は、第１撮影条件よりＸ線管１から照射されるＸ線の出力が小さいものとして設定されている。
【００３０】
〔ステップＳ３〕Ｘ線撮影開始
被検体（患者）Ｍを天板２に載置させる。被検体（患者）Ｍを間にしてＸ線管１およびＸ線検出器３を対向して配置させる。さらに、撮影部位（例えば、肝臓）の血管造影撮影を行うために、Ｘ線撮影技師などの術者は、被検体（患者）Ｍに撮影部位に血管造影剤の注入を行い、Ｘ線撮影可能な状態と判断すると、撮影開始スイッチ９を押す操作によりＸ線撮影開始を指示する。
【００３１】
照射スイッチ７が押されると、撮影開始信号が撮影制御部５の検出部２１およびタイマ１４に出力される。ＣＰＵ１１は、検出部２１に撮影開始信号が入力されたことに基づいて、第１撮影条件メモリ１７に記憶されている第１撮影条件（管電圧８０ｋｖ，管電流７２０ｍＡ，出力パルス幅４ｍｓ）を読み出す。さらに、ＣＰＵ１１は、この第１撮影条件に基づいてＸ線管１からＸ線を照射させるための第１撮影条件照射信号を照射制御部６に出力する。照射制御部６は、第１撮影条件照射信号に基づいて管電圧制御部２２から出力される電圧およびフィラメント電流制御部２３から制御されるＸ線管１に流れる電流が設定され、これらの設定に基づいて、Ｘ線管１からＸ線が照射され、Ｘ線撮影が開始される。
【００３２】
〔ステップＳ４〕検出部２１に撮影終了信号が入力されたか否か判定
撮影終了スイッチ１０の押しボタンが押され、撮影終了スイッチ１０から出力された撮影終了信号が検出部２１に入力されたか否かを判定する。術者が必要な撮影画像を取得したと判断し、検出部２１で撮影終了信号が検出された場合には、ステップＳ９に進む。また、検出部２１で撮影終了信号が検出されていない場合には、Ｘ線撮影が継続され、ステップＳ５に進む。
【００３３】
〔ステップＳ５〕終了予想時点に達したか否かを判定
タイマ１４は、Ｘ線撮影が開始されてから終了予想時点（この場合７秒後）まで計時し、この終了予想時点に達したことを示す終了予想時点信号をＣＰＵ１１に出力する。ここで、ＣＰＵ１１が終了予想時点信号を入力したことにより、終了予想時点に達したと判定され、ステップＳ６に進む。ＣＰＵ１１が終了予想時点信号を入力していない場合には、ステップＳ４に戻る。
【００３４】
〔ステップＳ６〕第１撮影条件から第２撮影条件に変更
撮影制御部５のＣＰＵ１１がタイマ１４から出力された終了予想時点信号を入力したことに基づいて、照射制御部６は、第１撮影条件から第２撮影条件に変更してＸ線管１を制御する。具体的には、ＣＰＵ１１は、記憶部１２の第２撮影条件メモリ１８に記憶されている第２撮影条件（管電圧８０ｋｖ，管電流２４０ｍＡ，出力パルス幅４ｍｓ）を読み出し、この第２撮影条件に基づいてＸ線管１からＸ線を照射させるための第２撮影条件照射信号を照射制御部６に出力する。さらに、照射制御部６は、第２撮影条件照射信号に基づいて管電圧制御部２２から出力される電圧およびフィラメント電流制御部２３から制御されるＸ線管１に流れる電流の設定を変更し、これらの設定に基づいて、Ｘ線管１からＸ線が継続して照射された状態となる。
【００３５】
〔ステップＳ７〕検出部２１に撮影終了信号が入力されたか否か判定
ここで、ステップＳ４と同様に、撮影終了スイッチ１０の押しボタンが押され、撮影終了スイッチ１０から出力された撮影終了信号が検出部２１に入力されたか否かを判定する。術者が必要な撮影画像を取得したと判断し、検出部２１で撮影終了信号が検出された場合には、ステップＳ９に進む。また、検出部２１で撮影終了信号が検出されていない場合には、Ｘ線撮影が継続され、ステップＳ８に進む。
【００３６】
〔ステップＳ８〕終了上限時点に達したか否かを判定
タイマ１４は、Ｘ線撮影が行われる上限時間である終了上限時点（この場合、Ｘ線撮影開始されてから１５秒後）まで計時すると終了上限時点に達したことを示す終了上限時点信号をＣＰＵ１１に出力する。ここで、ＣＰＵ１１が終了上限時点信号を入力したことにより、終了予想時点に達したと判定され、ステップＳ９に進む。ＣＰＵ１１が終了予想時点信号を入力していない場合には、ステップＳ７に戻る。
【００３７】
〔ステップＳ９〕Ｘ線撮影終了
ステップＳ４，Ｓ７において、検出部２１で撮影終了信号が入力したこと、およびステップＳ８でＣＰＵ１１が終了上限時点信号を入力したことに基づいて、照射制御部６は、Ｘ線管１に対して、Ｘ線の照射を終了させる制御を行い、Ｘ線撮影が終了する。
【００３８】
上述したようにＸ線診断装置によれば、Ｘ線撮影前に、入力部７により第１撮影時間と第２撮影時間とを入力することで、記憶部１２の第１撮影時間メモリ１５に第１撮影時間が記憶され、第２撮影時間メモリ１６に第２撮影時間が記憶される。さらに、入力部７により第１撮影条件と第２撮影条件とを入力することで、記憶部１２の第１撮影条件メモリ１７に第１撮影条件が記憶され、第２撮影条件メモリ１８に第２撮影条件が記憶される。次に、撮影開始スイッチが押され、検出部２１で撮影開始信号が入力された場合に、撮影指示部２０により第１撮影条件メモリ１７に記憶されている第１撮影条件を読み出し、照射制御部６は、第１撮影条件に基づいて、Ｘ線管１からＸ線を照射させる制御を終了予想時点に達するまで行う。次に、終了予想時点に達すると、撮影指示部２０は、第２撮影条件メモリ１８に記憶されている第２撮影条件を読み出し、照射制御部６は、第１撮影条件から第２撮影条件に変更し、この変更した第２撮影条件に基づいて、Ｘ線管１からＸ線を照射させる制御を、撮影終了スイッチ１０が押されるまで、または終了上限時点まで行われる。
【００３９】
したがって、撮影時間が長いＸ線撮影においてもＸ線撮影が途中で終了することなく、撮影部位の血管自体や血液の流れる状況を把握するために必要な全てのＸ線撮影を行うことができ、かつ、撮影時間が短い場合においては良好な画像を得ることができる。
【００４０】
この発明は、上記実施形態に限られることはなく、下記のように変形実施することができる。
【００４１】
（１）上述した実施例において、撮影開始スイッチ９と照射終了スイッチ１０とは、それぞれ別体のスイッチとしていたが、撮影開始スイッチ９と照射終了スイッチ１０とが一体であり、撮影開始と照射終了とを指示するスイッチが備えられているようなものでもよい。
【００４２】
（２）上述した実施例において、撮影開始スイッチ９の押しボタンを一度押すことで、Ｘ線撮影開始の指示を行い、撮影終了スイッチ１０の押しボタンを一度押すことで、Ｘ線撮影終了の指示が行われるようにしていたが、撮影終了スイッチ１０を備えず、撮影開始スイッチ９のみを備えるようにし、この撮影開始スイッチ９の押しボタンを押している状態では、撮影が継続して行われ、撮影開始スイッチ９の押しボタンを離す（押していない状態にする）と撮影開始スイッチ９から撮影終了信号が撮影制御部５に出力されるようにしてもよい。
【００４３】
（３）上述した実施例において、Ｘ線管１から照射されるＸ線の撮影条件は、第１撮影条件と第２撮影条件との２つの撮影条件のみを用いて、撮影するようにしていたが、３つ以上の撮影条件を用いるようにしてもよい。
【００４４】
（４）上述した実施例において、Ｘ線管１から照射されるＸ線はパルス状のものとしていたが、連続してＸ線が照射されるようなものでもよい。
【００４５】
（５）上述した実施例において、被検体Ｍを透過したＸ線をフラットパネル型Ｘ線検出器により検出していたが、Ｉ．Ｉ．（イメージインテンシファイア）管などにより検出するようにしてもよい。
【００４６】
（６）上述した実施例において、第１撮影時間，第２撮影時間の入力をステップＳ１、第１撮影条件，第２撮影条件の入力をステップＳ２として説明したが、ステップＳ１で第１撮影条件，第２撮影条件の入力、ステップＳ２で第１撮影時間，第２撮影時間の入力を行うようにしてもよい。
【図面の簡単な説明】
【００４７】
【図１】Ｘ線診断装置の全体構成を示すブロック図である。
【図２】撮影制御部の構成を示すブロック図である。
【図３】表示部の撮影設定画面を示す模式図である。
【図４】表示部の撮影設定画面を示す模式図である。
【図５】終了予想時点で第１撮影条件から第２撮影条件に変更されてＸ線撮影が行われる動作の流れを示すフローチャートである。
【符号の説明】
【００４８】
１  …Ｘ線管（Ｘ線照射手段）
６  …照射制御部（照射制御手段）
１２  …記憶部（記憶手段）
２１  …検出部（検出手段）
【図１】
0004654967.tif 000002
【図２】
0004654967.tif 000003
【図３】
0004654967.tif 000004
【図４】
0004654967.tif 000005
【図５】
0004654967.tif 000006